(57)【要約】【課題】  混合物が貫通孔を塞ぐことを防止しつつも、さらに、粒状物を貫通孔から取り出すことを容易にできる栓部材を提供する。【解決手段】  粒状物Ｘを取り出すための貫通孔１２１を有する取出部１２と、取出部１２から突出し、先端部１３１で容器２内の混合物Ｙを係止するための係止１３部とを備える栓部材１において、係止部１３は、貫通孔１２１と重なるのを防止すべく、貫通孔１２１の外方に配置されることを特徴とする。【選択図】  図４
2010260613.tif 000002
【特許請求の範囲】
【請求項１】
複数の粒状物と該粒状物よりも大きく形成される少なくとも一つの混合物とを混合して収容する容器の口部を覆うように配置され、且つ容器から粒状物を取り出すための貫通孔を有する取出部と、
混合物が貫通孔を塞ぐことを防止すべく、取出部から突出し、先端部で容器内の混合物を係止するための係止部とを備える栓部材において、
係止部は、貫通孔と重なるのを防止すべく、貫通孔の外方に配置されることを特徴とする栓部材。
【請求項２】
係止部は、側部で粒状物を貫通孔に向けて案内すべく、側部が貫通孔に向けて延設される請求項１に記載の栓部材。
【請求項３】
貫通孔は、取出部の中央部に配置され、
係止部は、板状に形成されると共に、貫通孔から放射状に複数配設される請求項２に記載の栓部材。
【請求項４】
取出部は、容器内の粒状物を貫通孔に向けて案内すべく、貫通孔に向けて傾斜するように形成される請求項２又は３に記載の栓部材。
【発明の詳細な説明】
【技術分野】
【０００１】
本発明は、容器の口部に取り付けられる栓部材に関する。
【背景技術】
【０００２】
従来、複数の粒状物（錠剤といった薬品やサプリメントといった食品等）と、該粒状物よりも大きい混合物（乾燥剤や脱水剤等）とを混合して収容する容器には、口部に、中栓やキャップといった栓部材が取り付けられる。
【０００３】
そして、従来、栓部材として、口部を覆うように配置され且つ容器から粒状物を取り出すための貫通孔を有する取出部と、混合物が貫通孔を塞ぐことを防止すべく、取出部から突出し、先端部で混合物を係止する係止部とを備える中栓（例えば特許文献１）や、キャップ（例えば特許文献２）が知られている。
【先行技術文献】
【特許文献】
【０００４】
【特許文献１】特開２００６−１０３７００号公報
【特許文献２】特開２００４−３５９２５１号公報
【発明の概要】
【発明が解決しようとする課題】
【０００５】
ここで、特許文献１及び２に係る栓部材は、貫通孔の貫通方向において、係止部が貫通孔と重なるように形成されている。これにより、当該栓部材は、係止部が先端部で混合物を係止するため、混合物が貫通孔を塞ぐことを防止できるという効果を有する一方、係止部が貫通孔と重なって配置されているため、粒状物を貫通孔から取り出す際に、係止部が粒状物と干渉し、その結果、粒状物を貫通孔から取り出し難いという問題を有していた。
【０００６】
よって、本発明は、かかる事情に鑑み、混合物が貫通孔を塞ぐことを防止しつつも、さらに、粒状物を貫通孔から取り出すことを容易にできる栓部材を提供することを課題とする。
【課題を解決するための手段】
【０００７】
上記課題を解決すべく、本発明に係る栓部材は、複数の粒状物と該粒状物よりも大きく形成される少なくとも一つの混合物とを混合して収容する容器の口部を覆うように配置され、且つ容器から粒状物を取り出すための貫通孔を有する取出部と、混合物が貫通孔を塞ぐことを防止すべく、取出部から突出し、先端部で容器内の混合物を係止するための係止部とを備える栓部材において、係止部は、貫通孔と重なるのを防止すべく、貫通孔の外方に配置されることを特徴とする。
【０００８】
本発明に係る栓部材によれば、取出部から突出する係止部が先端部で容器内の混合物を係止するため、混合物が貫通孔を塞ぐことを防止できる。さらに、係止部が貫通孔の外方に配置されるため、係止部が貫通孔と重なるのを防止している。これにより、粒状物を貫通孔から取り出す際に、係止部が粒状物と干渉することを抑制できる。
【０００９】
また、本発明に係る栓部材においては、係止部は、側部で粒状物を貫通孔に向けて案内すべく、側部が貫通孔に向けて延設されてもよい。
【００１０】
斯かる構成の栓部材によれば、係止部の側部が貫通孔に向けて延設されるため、係止部が側部で粒状物を貫通孔に向けて案内できる。これにより、粒状物が貫通孔に向けて整流され、粒状物を貫通孔から取り出すことを容易にできる。
【００１１】
また、本発明に係る栓部材においては、貫通孔は、取出部の中央部に配置され、係止部は、板状に形成されると共に、貫通孔から放射状に複数配設されてもよい。
【００１２】
斯かる構成の栓部材によれば、板状に形成される複数の係止部が、取出部の中央部に配置される貫通孔から放射状に配設されている。これにより、容器の口部を下方側に向けて、貫通孔を介して容器から粒状物を取り出す際に、容器の傾き角度や傾き方向に関係なく、何れかの係止部が側部で粒状物を貫通孔に向けて案内できる。
【００１３】
また、本発明に係る栓部材においては、取出部は、容器内の粒状物を貫通孔に向けて案内すべく、貫通孔に向けて傾斜するように形成されてもよい。
【００１４】
斯かる構成の栓部材によれば、取出部が貫通孔に向けて傾斜するように形成されるため、取出部が容器内の粒状物を貫通孔に向けて案内できる。これにより、容器の口部を下方側に向けて、貫通孔を介して容器から粒状物を取り出す際に、係止部だけでなく、取出部も粒状物を貫通孔に向けて案内できるため、粒状物を貫通孔から取り出すことをさらに容易にできる。
【発明の効果】
【００１５】
以上の如く、本発明に係る栓部材によれば、係止部が貫通孔と重なっていないため、粒状物を貫通孔から取り出す際に、係止部が粒状物と干渉することを抑制でき、その結果、混合物が貫通孔を塞ぐことを防止しつつも、さらに、粒状物を貫通孔から取り出すことを容易にできるという優れた効果を奏する。
【図面の簡単な説明】
【００１６】
【図１】本発明の一実施形態に係る栓部材の全体図であって、（ａ）は上方斜視図、（ｂ）は下方斜視図を示す。
【図２】同実施形態に係る栓部材の全体図であって、（ａ）は平面図、（ｂ）は底面図を示す。
【図３】同実施形態に係る栓部材の全体図であって、（ａ）は正面図、（ｂ）は容器に装着された状態における図２のＡ−Ａ線の断面図を示す。
【図４】同実施形態に係る栓部材の作用を説明する全体図であって、（ａ）は底面図、（ｂ）はＢ−Ｂ線における断面図を示す。
【図５】本発明の他の実施形態に係る栓部材の全体図であって、（ａ）は上方斜視図、（ｂ）は下方斜視図を示す。
【図６】同実施形態に係る栓部材の全体図であって、（ａ）は平面図、（ｂ）は底面図を示す。
【図７】同実施形態に係る栓部材の全体図であって、（ａ）は正面図、（ｂ）は容器に装着された状態における図６のＥ−Ｅ線の断面図を示す。
【図８】本発明のさらに他の実施形態に係る栓部材の全体図であって、（ａ）は上方斜視図、（ｂ）は下方斜視図を示す。
【図９】同実施形態に係る栓部材の全体図であって、（ａ）は底面図、（ｂ）はＦ−Ｆ線における断面図を示す。
【図１０】本発明のさらに他の実施形態に係る栓部材の全体図であって、（ａ）は底面図、（ｂ）はＧ−Ｇ線における断面図を示す。
【図１１】本発明のさらに他の実施形態に係る栓部材の全体図であって、（ａ）は底面図、（ｂ）はＨ−Ｈ線における断面図を示す。
【図１２】本発明のさらに他の実施形態に係る栓部材の全体図であって、（ａ）は上方斜視図、（ｂ）は下方斜視図を示す。
【発明を実施するための形態】
【００１７】
以下、本発明に係る栓部材における第１の実施形態について、図１〜図４を参酌して説明する。
【００１８】
図１〜図４に示すように、本実施形態に係る栓部材１は、容器２の口部２１に装着される中栓である。ここで、栓部材１の各構成を説明するのに先立って、容器２等について説明する。
【００１９】
容器２は、円筒状に形成される口部２１にて、内部と外部とを連通させている。また、容器２は、口部２１の外周部に、キャップ３と螺合する螺子部２２を備える。なお、容器２は、複数の粒状物（例えば錠剤）Ｘ，…と、該粒状物Ｘよりも大きく形成される少なくとも一つの混合物（例えば乾燥剤）Ｙとを混合して収容している。
【００２０】
キャップ３は、一端側が天面部３１により閉塞された円筒状に形成され、内周部に、容器２の螺子部２２と螺合する螺子部３２を備える。そして、キャップ３は、容器２と螺合することで、容器２を密封するためのシール部材４が内部に取り付けられている。また、シール部材４は、弾性を有し、容器２を密封するための環状のシール部４１を備える。
【００２１】
本実施形態に係る栓部材１は、容器２の口部２１に取り付けられる本体部１１と、容器２の口部２１を覆うように配置され、粒状物Ｘを取り出すための取出部１２とを備える。また、栓部材１は、容器２から粒状物Ｘを取り出すための貫通孔１２１が取出部１２に配設されると共に、混合物Ｙが貫通孔１２１を塞ぐことを防止すべく、取出部１２から突出し、先端部１３１で容器２内の混合物Ｙを係止するための複数の係止部１３，…を備える。なお、栓部材１は、例えば、プラスチック等の合成樹脂で形成されている。
【００２２】
本体部１１は、円筒状に形成され、容器２の口部２１の内部に嵌められる。そして、本体部１１は、容器２の口部２１に挿入することを容易にすべく、一方（下方）側に向けて小径となる小径部（テーパ部）１１１を備える。また、本体部１１は、容器２の口部２１に係止されるべく、他方（上方）側にフランジ部１１２を備える。なお、容器２を密封すべく、キャップ３が容器２に装着されると、フランジ部１１２は、シール部材４のシール部４１と全周に亘って密着する。
【００２３】
取出部１２は、本体部１１に対して、径方向においては内方であって、軸心方向においては中間部に配置される。また、取出部１２は、一方側（裏側）に、貫通孔１２１に向けて傾斜する第１傾斜部１２２を備える一方、軸心方向の他方側（表側）にも、貫通孔１２１に向けて傾斜する第２傾斜部１２３を備える。
【００２４】
貫通孔１２１は、軸心方向に沿って貫通するように取出部１２に設けられている。また、貫通孔１２１は、径方向において、取出部１２の中央部に配置される。そして、貫通孔１２１は、円形の開口に形成される。具体的には、貫通孔１２１は、混合物Ｙよりも小さく且つ粒状物Ｘよりも若干大きく形成され、粒状物Ｘが一つずつ通過するように構成されている。
【００２５】
第１傾斜部１２２は、軸心方向に立設する板状に形成され且つ貫通孔１２１から放射状に複数（本実施形態においては九つ）配置される突条部１２２ａ，…を備える。そして、第１傾斜部１２２は、各突条部１２２ａ，１２２ａ間に粒状物Ｘが嵌まることを防止できるような間隔で、各突条部１２２ａを並設している。
【００２６】
各突条部１２２ａは、容器２の口部２１が下方側に向けられた際（容器２が傾けられた際）に、先端部で、容器２内の粒状物Ｘを貫通孔１２１に向けて案内するように構成される。具体的には、各突条部１２２ａは、先端部が軸心方向に対して傾斜する方向に沿って配置されている。
【００２７】
第２傾斜部１２３は、本体部１１の周方向に亘って面状に形成され、外から容器２内に粒状物Ｘを戻す際に、粒状物Ｘを貫通孔１２１に向けて案内するように構成される。具体的には、第２傾斜部１２３は、表面が軸心方向に対して傾斜する方向に沿って形成されている。
【００２８】
各係止部１３は、取出部１２から一方側（下方側）に向けて突出し、貫通孔１２１と重なるのを防止すべく、貫通孔１２１の外方に配置される。即ち、各係止部１３は、貫通孔１２１から外れた位置に配置されているため、本体部１１の軸心方向（貫通孔１２１の貫通方向）において、貫通孔１２１と重なっていない。
【００２９】
そして、各係止部１３は、側部（側壁部）１３２が貫通孔１２１に向けて延設され、容器２の口部２１が下方側に向けられた際に、側部１３２で粒状物Ｘを貫通孔１２１に向けて案内するように構成されている。具体的には、係止部１３，…は、板状に形成されると共に、貫通孔１２１から放射状に複数配設されている。より具体的には、係止部１３，…は、三つ設けられ、各係止部１３，１３間に、それぞれ突条部１２２ａ，１２２ａ，１２２ａを三つ配置している。
【００３０】
また、各係止部１３は、先端部１３１で混合物Ｙを係止した状態で、混合物Ｙと第１傾斜部１２２（突条部１２２ａの先端）との間に、粒状物Ｘが通過可能な隙間を形成するように、高さ寸法を設定している。さらに、係止部１３，…のうち、少なくとも一つは、軸心方向において、混合物Ｙと重なるように配置されている。
【００３１】
以上より、本実施形態に係る栓部材１は、先端部１３１で混合物Ｙを係止する各係止部１３が貫通孔１２１の外方に配置されているため、各係止部１３が貫通孔１２１の貫通方向（本体部１１の軸心方向）において貫通孔１２１と重なっていない。したがって、粒状物Ｘを貫通孔１２１から取り出す際に、各係止部１３が粒状物Ｘと干渉することを抑制できるため、混合物Ｙが貫通孔１２１を塞ぐことを防止しつつも、粒状物Ｘを貫通孔１２１から取り出すことを容易にできる。
【００３２】
また、本実施形態に係る栓部材１は、各係止部１３の側部１３２が貫通孔１２１に向けて延設されるため、各係止部１３の側部１３２で、粒状物Ｘを本体部１１の径方向（図４（ａ）のＣ方向）に沿って案内し、その結果、粒状物Ｘを貫通孔１２１に向けて案内できる。これにより、粒状物Ｘを貫通孔１２１に向けて整流するため、粒状物Ｘを貫通孔１２１から取り出すことをさらに容易にできる。
【００３３】
また、本実施形態に係る栓部材１は、板状に形成される複数の係止部１３，…が、取出部１２の中央部に配置される貫通孔１２１から放射状に配設されているため、容器２の口部２１を下方側に向けて、貫通孔１２１を介して容器２から粒状物Ｘを取り出す際に、容器２の傾き角度や傾き方向に関係なく、何れかの係止部１３の側部１３２で、粒状物Ｘを貫通孔１２１に向けて案内でき、その結果、粒状物Ｘを取り出すのをさらに容易にできる。
【００３４】
また、本実施形態に係る栓部材１は、各係止部１３が混合物Ｙを係止した状態で、混合物Ｙと第１傾斜部１２２との間に、粒状物Ｘが通過可能な隙間を形成するため、各係止部１３で混合物Ｙを係止しつつも、図４（ａ）及び（ｂ）のＤ矢印のように、貫通孔１２１から粒状物Ｘを取り出すことができる。
【００３５】
また、本実施形態に係る栓部材１は、取出部１２が貫通孔１２１に向けて傾斜する第１傾斜部１２２を備えるため、取出部１２が容器２内の粒状物Ｘを貫通孔１２１に向けて案内できる。これにより、容器２の口部２１を下方側に向けて、貫通孔１２１を介して容器２から粒状物Ｘを取り出す際に、各係止部１３だけでなく、取出部１２も第１傾斜部１２２で粒状物Ｘを貫通孔１２１に向けて案内できるため、粒状物Ｘを貫通孔１２１から取り出すことをさらに容易にできる。
【００３６】
次に、本発明に係る栓部材における第２の実施形態について、図５〜図７を参酌して説明する。なお、図７において、図３及び図４の符号と同一の符号を付した部分は、第１実施形態と同一の構成又は要素を表す。
【００３７】
図５〜図７に示すように、本実施形態に係る栓部材５は、第１実施形態に係る栓部材１と同様に、小径部（テーパ部）５１１及びフランジ部５１２を有する本体部５１を備える。また、栓部材５は、容器２の口部２１を覆うように配置され、且つ容器２から粒状物Ｘを取り出すための貫通孔５２１を有する取出部５２と、混合物Ｙが貫通孔５２１を塞ぐことを防止すべく、取出部５２から突出し、先端部５３１で容器２内の混合物Ｙを係止するための係止部５３とを備える。
【００３８】
取出部５２は、貫通孔５２１を端部に配置している。そして、取出部１２は、軸心方向の一方側に、貫通孔５２１に向けて傾斜する第１傾斜部５２２を備える一方、軸心方向の他方側にも、貫通孔５２１に向けて傾斜する第２傾斜部５２３を備える。
【００３９】
第１傾斜部５２２は、軸心方向に立設する板状に形成され且つ貫通孔５２１の外縁に沿って湾曲状（円弧状）に複数配置される突条部５２２ａ，…を備える。そして、各突条部５２２ａは、容器２が傾けられた際に、先端部で、容器２内の粒状物Ｘを貫通孔５２１に向けて案内するように構成される。具体的には、各突条部５２２ａは、貫通孔５２１に向けて低くなるような段差状に形成され、先端部が軸心方向に対して傾斜する方向に沿って配置されている。
【００４０】
係止部５３は、取出部５２から突出し、貫通孔５２１と重なるのを防止すべく、貫通孔５２１の外方に配置される。そして、係止部５３は、側部５３２が貫通孔５２１に向けて延設され、容器２の口部２１が下方側に向けられた際に、側部５３２で粒状物Ｘを貫通孔５２１に向けて案内するように構成されている。
【００４１】
具体的には、係止部５３は、板状に形成されると共に、貫通孔５２１から径方向に延設されている。これにより、係止部５３は、軸心方向において、混合物Ｙと必ず重なるため、混合物Ｙの位置に関わらず、先端部５３１で混合物Ｙを係止できる。
【００４２】
以上より、本実施形態係る栓部材５は、先端部５３１で混合物Ｙを係止する係止部５３が貫通孔５２１の外方に配置されているため、係止部５３が貫通孔５２１と重なっていない。これにより、粒状物Ｘを貫通孔５２１から取り出す際に、係止部５３が粒状物Ｘと干渉することを抑制できるため、混合物Ｙが貫通孔５２１を塞ぐことを防止しつつも、粒状物Ｘを貫通孔５２１から取り出すことを容易にできる。
【００４３】
また、本実施形態に係る栓部材５は、貫通孔５２１が取出部５２の端部に配置されているため、貫通孔５２１を介して容器２から粒状物Ｘを取り出す際に、貫通孔５２１が下方側となるように容器２の口部２１を傾けると、粒状物Ｘを取り出すのをさらに容易にできる。
【００４４】
なお、本発明に係る栓部材は、上記した実施の形態に限定されるものではなく、本発明の要旨を逸脱しない範囲内において種々変更を加え得ることは勿論である。また、上記した複数の実施形態の構成や方法等を任意に採用してもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００４５】
例えば、上記実施形態に係る栓部材１（５）においては、係止部１３（５３）の先端部１３１（５３１）が本体部１１（５１）の端部と面一に形成される場合を説明したが、斯かる場合に限られない。例えば、図８及び図９に示すように、栓部材６は、貫通孔６２１を有する取出部６２と、取出部６２から突出し、先端部６３１が本体部６１から臨出する係止部６３とを備える場合でもよい。
【００４６】
斯かる構成によれば、例えば、係止部６３が混合物Ｙを係止した状態でも、混合物Ｙと第１傾斜部６２２（突条部６２２ａの先端）との間に、粒状物Ｘが通過可能な隙間を十分に確保できるため、係止部６３で混合物Ｙを係止しつつも、貫通孔６２１から粒状物Ｘを確実に取り出すことができる。
【００４７】
また、上記実施形態に係る栓部材１（５）においては、係止部１３（５３）が板状に形成され、側部１３２（５３２）が貫通孔１２１（５２１）に向けて連続的に延設される場合を説明したが、斯かる場合に限られず、例えば、図１０に示すように、栓部材７は、側部が貫通孔７２１に向けて断続的に延設される係止部７３，…を備える場合でもよい。具体的には、各係止部７３は、複数の板状の凸部７３ａ，…を備え、各凸部７３ａは、径方向に沿って配置される場合でもよい。
【００４８】
また、上記実施形態に係る栓部材１（５）においては、取出部１２（５２）の第１傾斜部１２２（５２２）が複数の突条部１２２ａ（５２２ａ），…を備える場合を説明したが、斯かる場合に限られない。例えば、図１０に示すように、栓部材７は、取出部７２の第１傾斜部７２２が周方向に亘って面状に形成され、該表面が軸心方向に対して傾斜する方向に沿って形成される場合でもよい。
【００４９】
また、上記実施形態に係る栓部材１（５）においては、係止部１３（５２）で区切られる第１傾斜部１２２（５２２）の各領域が、係止部１３（５２）を基準にして対称となるように形成される場合を説明したが、斯かる場合に限られず、係止部を基準にして非対称となるように形成される場合でもよい。
【００５０】
例えば、第１傾斜部は、各領域毎で、軸心方向に対して傾斜する角度（交差角度）を相違するように構成される場合でもよい。また、図１１に示すように、栓部材８は、複数の突条部８２２ａ，８２２ｂ，８２２ｃ，…からなる第１傾斜部８２を備え、貫通孔８２１の外縁における各突条部８２２ａ，８２２ｂ，８２２ｃの先端部の位置が、係止部８３によって区切られる各領域毎で、軸心方向において相違している場合でもよい。
【００５１】
即ち、第１傾斜部８２は、係止部８３で区切られる各領域毎で、高低差や傾斜差を有して構成される場合でもよい。斯かる構成によれば、係止部で区切られる各領域から粒状物Ｘがそれぞれ案内された場合に、各粒状物Ｘ同士が不安定に干渉し合うことにより、各粒状物Ｘ同士が均衡して干渉する場合と比較して、貫通孔８２１付近で各粒状物Ｘが詰まることを防止できる。
【００５２】
また、上記実施形態に係る栓部材１（５）においては、取出部１２（５２）が本体部１１（５１）に対して、軸心方向において中間部に配置される場合を説明したが、斯かる場合に限られず、例えば、取出部は、本体部の他端部（上端部）に配置される場合でもよい。
【００５３】
また、上記実施形態に係る栓部材１（５）においては、本体部１１（５１）が円筒状に形成される場合を説明したが、斯かる場合に限られず、例えば、容器の口部が角状の場合には、角状に形成される場合でもよい。
【００５４】
また、上記実施形態に係る栓部材１（５）においては、本体部１１（５１）が容器２の口部２１の内部に嵌められて装着される場合を説明したが、斯かる場合に限られない。例えば、本体部は、容器の口部の外側に嵌められて装着される場合でもよく、また、容器２の口部２１と螺合して装着される場合でもよい。
【００５５】
また、上記実施形態に係る栓部材１（５）においては、容器２の中栓である場合を説明したが、斯かる場合に限られず、例えば、容器２のキャップである場合でもよい。具体的には、図１２に示すように、栓部材９は、容器２と螺合する本体部９１と、粒状物Ｘを取り出す貫通孔９２１を有する取出部９２と、混合物Ｙを係止する係止部９３と、本体部９１と係合することにより容器２を密封すべく、本体部９１にヒンジ機構を介して連結される蓋部９４とを備える場合でもよい。
【符号の説明】
【００５６】
１…栓部材、２…容器、１２…取出部、１２１…貫通孔、１３…係止部、１３１…先端部、１３２…側部、２１…口部、Ｘ…粒状物、Ｙ…混合物
【図１】
2010260613.tif 000003
【図２】
2010260613.tif 000004
【図３】
2010260613.tif 000005
【図４】
2010260613.tif 000006
【図５】
2010260613.tif 000007
【図６】
2010260613.tif 000008
【図７】
2010260613.tif 000009
【図８】
2010260613.tif 000010
【図９】
2010260613.tif 000011
【図１０】
2010260613.tif 000012
【図１１】
2010260613.tif 000013
【図１２】
2010260613.tif 000014